(57)【要約】      （修正有）【課題】株の投資家や株式に関心のある人が上下の移動だけで希望する条件の株式銘柄を文字・数値・色で容易に検索・比較・並び替え・抽出ができる株式銘柄検索チャートを提供する。【解決手段】最新株価を株価列６に表示した株価表示欄１と各銘柄の株式銘柄情報項目２（株価帯・ＰＥＲ・配当・年初来高値・年初来安値・ニュース・仕手株・新高値・新安値・上昇・下降）の必要とする情報、そして銘柄欄３を１面に集約し、必要とする株式銘柄情報を最新株価の推移を見ながら、容易に検索・比較・並び替え・抽出ができる株式銘柄検索チャートである。株価は数値だけで表示してあり株価表示欄１は数値だらけなので見誤る可能性があるため前後の数値に差がある場合その数値の差の内容によって色を変え、色によっても容易に判断できる株価表示欄１となっている。  また、株式銘柄情報は検索ボタン４を押すことにより必要とする情報だけを更に検索し抽出することができる。【選択図】図１
2006092497.tif 000002
【特許請求の範囲】
【請求項１】
株式銘柄検索チャートは銘柄欄・株式銘柄情報・株価表示欄で構成され、株価表示欄は横方向を時間軸とし縦方向を銘柄軸として株価を表示する。常に最新の株価を株価表示欄の左側縦列に表示していく。株価表示欄の左側縦列に最新の株価を表示することにより株価は右から左に時系列に表示される。株式銘柄情報項目は株価表示欄の左側に表示する。その表示方法により最新の株価の変動と他銘柄の株価の比較や株式銘柄情報は常に左側縦列に表示されるため横方向に移動することなく縦方向の移動のみで最新の株価の変動と他銘柄の情報とを容易に検索・比較・並び替え・抽出することができる。ことを特徴とする。
【請求項２】
株価は数値で表示し時系列で表示された株価に差がある場合は、その株価の差の内容により色の配色を変え、株価の推移を数値だけでなく色によっても容易に判断できる。さらに、各銘柄の情報についても数値や文字だけでは選択するのに時間を要するので、項目に色を付ける事により検索・選択が容易にできる。ことを特徴とする。
【請求項３】
銘柄欄の右側に株式銘柄情報を項目別に表示し、その表示した数値や文字の内容を内容別に検索・選択・抽出することで各銘柄の情報の選択や比較が容易になる。最新の株価が株式情報項目のすぐ右側に並んでいるので、株価の変動と個別銘柄の情報を同時に比較しながら容易に検索できる。ことを特徴とする。
【請求項４】
銘柄コード・銘柄名やニュースをインターネットとリンクさせることにより、選択した銘柄の最新情報を素早く容易に調べることができる。ことを特徴とする。
【発明の詳細な説明】
【技術分野】
【０００１】本発明は投資家や株式に関心のある人が株式銘柄の株価やその他情報の比較や選択をする場合、数値・文字・色で容易に判断し、希望する条件の検索・比較・並び替えをし、容易に株式銘柄の選択・抽出をすることができる株式銘柄検索チャートに関するものである。
【背景技術】
【０００２】株式銘柄の検索は会社四季報・株の専門誌・新聞等の紙媒体やインターネットでその会社の業績の判断でき、株価チャートで各会社の株価の変動や動向は確認できるので、個別銘柄の株価の推移を確認するには実用上充分である。また、株価は新聞の株式欄に掲載されており、インターネットを利用すればリアルタイムでその日の株価や情報は確認することができる。【０００３】しかし、上場銘柄には東証・大証・一部・二部・ジャスダック等にそれぞれ株式登録銘柄があり、株式銘柄全体の株価動向や主だった市況情報は新聞等の紙媒体やインターネットを利用して確認することができるが、この中から自分の欲しい条件にあった特定銘柄を選択することは大変な作業を要する。【０００４】また、手持ちの金額で購入できる株価の銘柄を会社四季報・株の専門誌・新聞等の紙媒体やインターネットから探し、更に上昇している銘柄や新高値をつけた銘柄だけを選択・抽出し、比較・検討することを短時間で行うことは簡単にはできないという欠点があった。【０００５】株価は新聞やテレビ・インターネットで上場銘柄のその日の始値・高値・安値・終値・出来高や前日終値との対比を表示しているが、その株価が一時的な上昇なのか下降なのか、長期的な上昇なのか下降なのかの株価の推移は別の株価チャートを確認しなければならない。という欠点がある。【０００６】また、同一株価帯の銘柄の動向を比較するには、株価を新聞やインターネットで探し更に銘柄コードを探して株価チャートを１銘柄ずつチェックしなければならず、探し出した銘柄の株価推移や株式情報を別の銘柄と比較することはなかなか困難であるという欠点があった。
【発明の開示】
【発明が解決しようとする課題】
【０００７】本発明は投資家や株式に関心のある人が株式銘柄の株価やその他情報の比較や選択をする場合、数値・文字・色で容易に判断し、希望する条件の検索・比較・並び替えをし、容易に株式銘柄の選択・抽出をすることができる株式銘柄検索チャートに関するものである。【０００８】株価の推移を数値で表示する場合、時系列で表示してある株価は左から右に表示する場合と上から下へ表示する場合がある。その場合最新の株価の表示箇所は右端や一番下に表示してある為、一つの銘柄の株価推移を見るだけでも左から右に移動させなければならず、株価の情報が多ければ多いほど最新株価を探すのに時間を要する。その銘柄を他の同一株価帯の銘柄と比較することや、株価とその銘柄の株式情報を比較検討することは、銘柄名や株式銘柄情報（ＰＥＲ・配当・出来高・ニュース）と株価表示欄の最新株価は、株価表示数が多いほど最新株価と株式銘柄情報が離れてしまうため比較するのが大変であった。【０００９】新聞は前日の株価を始値・高値・安値・終値で表示し、前々日との株価の差を前比として下がった場合は▼印を付け、上った場合は△印を付けて前日との差を掲載している。しかし、この前日との差だけではこの銘柄が高いのか安いのかの判断ができず株価の推移を確認するには株価チャートが必要となる。だが、新聞には株価チャートは掲載されてない為、株価チャートで株価の推移を確認するには株の専門誌やインターネットで探さなければならない。という欠点がある。【００１０】株価の推移を確認する場合は株価チャートで確認するのが一番確実だが、紙面の一面に１〜４銘柄の表示でありインターネットの場合は１銘柄の表示となる。また、ローソク足で表示されているため１銘柄の推移を確認するには充分だが、他の銘柄と比較するには不適当である。【００１１】また、低位株だけを抽出したい。高配当の銘柄だけを抽出したい。仕手銘柄だけを検討したい。上昇している株だけを抽出したい。こうした投資家の必要とする銘柄だけを選択・抽出したい場合、株の専門誌やインターネットを利用してもその銘柄だけを検索・抽出することは簡単にはできない。という欠点があった。
【課題を解決する為の手段】
【００１２】本発明は投資家や株式に関心のある人が株式銘柄の株価やその他情報の比較や選択をする場合、数値・文字・色で容易に判断し、希望する条件の検索・比較・並び替え・抽出することができる株式銘柄検索チャートに関するものである。
【００１３】株価を表示する場合左から右に表示したほうが表示しやすいが、投資家が株価を見る場合、見たい銘柄の株価が今いくらなのかをまず第１に見る。そしてその株価が今後どう推移していくのかの動向を判断する為、これまでの株価の動きはどうだったのか？  そして、その銘柄にニュース性はあるのか？  ＰＥＲや配当は？  と短時間に見て判断したいという欲求がある。そのため株価表示欄１と株式銘柄情報のＰＥＲ・配当・ニュースを一面で判断できるように、最新の株価列６を株式銘柄情報項目２のすぐ隣に配置することにより必要とする情報を１面に集約し、銘柄名と最新の株価そして株式銘柄情報項目を見やすくした。
【００１４】しかし、株価は数値だけで表示してあり株価表示欄１は数値だらけなので見誤る可能性がある。そのため、前後の数値に差がある場合その数値の差の内容によって色を変え、色によっても容易に判断できる株価表示欄１となっている。
その色は時系列に表示した株価の差が正の時には第１の色７ａ、負のときは第２の色７ｂそして、新高値の株価には第３の色７ｃ、新安値の株価には第４の色７ｄ、急激に上昇した株価は第５の色７ｅ、権利落ちした株価は第６の色７ｆをつけることにより、数値だけでなく色を見るだけで株価の推移と内容が容易に判断できる株価表示欄１となっている。
【００１５】株価表示欄１と銘柄欄３の間に各銘柄の株式銘柄情報項目２（株価帯・ＰＥＲ・配当・年初来高値・年初来安値・ニュース・仕手株・新高値・新安値・上昇・下降）があるため、最新の株価を見ながらすぐその株価の情報を瞬時に判断することができる。
【００１６】株式情報は検索ボタン４を押すことにより必要とする情報だけを更に検索し抽出することができる。更に市場も全市場から検索できる。
【００１７】また、株価コード・株式銘柄やニュースはインターネットとリンクしてあるので、銘柄コード５や銘柄名５をクリックすることにより、より詳細な株式銘柄情報をすぐ確認することができる。
【発明の効果】
【００１８】以上の説明で明らかなように、本発明の株式銘柄検索チャートは、最新の株価列６を中央に表示しているので、常に最新の株価情報を右に移動させることなく上下の移動のみで全市場の最新株価と株式情報を容易に検索することが出来る。
【００１９】また、株価の推移を数値だけでなく色によっても容易に判断できるため株価の推移を見誤ることがない。
【００２０】株価の大きな変動には必ず原因があるが、そうした変動の原因を最新株価を見ながらすぐインターネットにリンクしてタイムリーに銘柄のニュースを確認することができる。
【００２１】株式銘柄情報項目２の検索ボタン４を利用することにより、欲しい情報項目を検索・比較・並び替え・抽出できるので株式銘柄の絞込みが初心者にも容易にできる利点がある。
【００２２】また、株価については株価が上昇するときに出来高も増加する連動性がある。そのため、株価表示欄１を出来高欄として日々の出来高数を表示していくことにより、出来高の変動を見ることによっても株式銘柄検索チャートは利用できる。
【発明を実施するための最良の形態】
【００２３】株を購入する場合少ない手持ちの資金で購入できる株式銘柄はあるのか確認したい場合、株価帯４ａの検索ボタンを押して安い株価帯から検索・抽出することにより１００円の株価帯のみを抽出〔図２〕し、この中から自分の求めている株式銘柄を選択することができる。
気に入った銘柄がなければまた、株価帯４ａの検索ボタンを押して自分の手持ち資金にあわせて検索・抽出し選択することができる。【００２４】株式銘柄の選択には〔図５〕の配当で判断する場合もあり、検索ボタン４ｃを押して空白以外を選択すれば配当がある株式銘柄だけを抽出することができる。また、配当の高い順に並べ替え〔図９〕をすることもできる。【００２５】ハイリスクハイリターンを希望する投資家は〔図６〕の仕手株銘柄のみを抽出したい場合、検索ボタン４ｅを押して仕手株銘柄のみを抽出することができる。【００２６】更にハイリスクハイリターンを希望する投資家は〔図７〕の新高値をつけた銘柄のみを抽出する場合、検索ボタン４ｆを押して新高値銘柄のみを抽出することができる。【００２７】株価が上昇したり下降する場合必ず原因があるが、ニュース性のある銘柄を探す場合、〔図８〕の空白以外の銘柄を検索ボタン４ｄを押してニュースのある銘柄のみを抽出することができる。更に、そのニュースはインターネットとリンクしているので記事の内容をすぐ確認することができる。【００２８】こうした株価と株価情報を一面で確認することができ、更に他銘柄との比較もできる為、素人の方でも簡単に自分の欲しい銘柄を容易に検索することができる。
【図面の簡単な説明】
【００２９】
【図１】株式銘柄検索チャート
【図２】株式銘柄検索チャートで１００円の株価帯のみを抽出した図。
【図３】株式銘柄検索チャートで２００円の株価帯のみを抽出した図。
【図４】株式銘柄検索チャートで３００円の株価帯のみを抽出した図。
【図５】株式銘柄検索チャートで配当がある銘柄だけを抽出した図。
【図６】株式銘柄検索チャートで仕手株の銘柄だけを抽出した図。
【図７】株式銘柄検索チャートで新高値の株価銘柄だけを抽出した図。
【図８】株式銘柄検索チャートでニュースのある銘柄だけを抽出した図。
【図９】株式銘柄検索チャートで配当の多い順に並べ替えた図。
【符号の説明】
１  株価表示欄
２  株式銘柄情報（株価帯・ＰＥＲ・配当・年初来高値・年初来安値・ニュース・仕手株・新高値・新安値・上昇・下降）項目
３  銘柄欄（市場・銘柄コード・銘柄名）
４  検索ボタン
５  インターネットへのリンク
６  最新の株価列
７ａ株価が前回より上昇した場合の第１の色
７ｂ株価が前回より下降した場合の第２の色
７ｃ株価が新高値を出した場合の第３の色
７ｄ株価が新安値を出した場合の第４の色
７ｅ株価が急上昇した場合の第５の色
７ｆ株価が権利落して安値を出した場合の第６の色
【図１】
2006092497.tif 000003
【図２】
2006092497.tif 000004
【図３】
2006092497.tif 000005
【図４】
2006092497.tif 000006
【図５】
2006092497.tif 000007
【図６】
2006092497.tif 000008
【図７】
2006092497.tif 000009
【図８】
2006092497.tif 000010
【図９】
2006092497.tif 000011